(57)【要約】【課題】  間伐材である中目材を木製下地建材として有効利用する。【解決手段】  長尺の板体であり、表面５に壁土２ａを保持する凹条溝７を一又は複数長手方向に形成すると共に裏面６を略平面で形成し、一方の長辺の側縁部に７凹条溝と連続し、表面５側に突出した係合突部８を形成し、一方の長辺の側縁部と対向する他方の長辺の側縁部に、裏面６側を開放した係合凹部９を形成することで、一の木製下地建材３の係合凹部９に他の下地建材３の係合突部８を係合させ、複数の下地建材３を一方向に互いに隣接させて連結する。【選択図】図１
2005061101.tif 000002
【特許請求の範囲】
【請求項１】
長尺の板体であり、表面に壁材を保持する凹条溝が一又は複数長手方向に形成されていると共に裏面が略平面で形成され、
一方の長辺の側縁部に上記凹条溝と連続し、表面側に突出した係合突部が形成され、上記一方の長辺の側縁部と対向する他方の長辺の側縁部に、裏面側を開放した係合凹部が形成されている木製下地建材。
【請求項２】
長尺の板体であり、表面に壁材を保持する凹条溝が一又は複数長手方向に形成されていると共に裏面が略平面で形成され、一方の長辺の側縁部に上記凹条溝と連続し、表面側に突出した係合突部が形成され、上記一方の長辺の側縁部と対向する他方の長辺の側縁部に、裏面側を開放した係合凹部が形成されている木製下地建材を複数有し、
一の木製下地建材の係合凹部に他の木製下地建材の係合突部を係合させて、複数の木製下地建材を一方向に互いに隣接させて配列し、裏面側に接着シートが貼り合わされた木製下地板。
【請求項３】
長尺の板体であり、表面に壁材を保持する凹条溝が一又は複数長手方向に形成されていると共に裏面が略平面で形成され、一方の長辺の側縁部に上記凹条溝と連続し、表面側に突出した係合突部が形成され、上記一方の長辺の側縁部と対向する他方の長辺の側縁部に、裏面側を開放した係合凹部が形成されている木製下地建材を複数有し、一の木製下地建材の係合凹部に他の木製下地建材の係合突部を係合させて、複数の木製下地建材を一方向に互いに隣接させて配列し、裏面側に接着シートが貼り合わされた木製下地板を、上記凹条溝が形成された表面を外側にして建築物の固定部材に固定し、
上記壁材を保持する紐状の保持部材を上記木製下地板の表面に取り付け、
上記建築物の固定部材に固定された木製下地板の表面に上記壁材を塗工する建築物の施工方法。
【発明の詳細な説明】
【技術分野】
【０００１】
本発明は、建築物の内外壁等を施工する際に用いられる木製下地建材、この木製下地建材を用いた木製下地板及びこの下地板を用いた建築物の施工方法に関する。
【背景技術】
【０００２】
建築物の内外壁等に木材を用いるときは、木製下地板に土等の壁材が塗工される。下地板は、木製の薄板からなる下地建材を複数繋ぎ合わせて１枚の板状に形成されている。複数の下地建材を繋ぎ合わせる方法としては、例えば下記特許文献１に記載されているように、接着シートを用い、この接着シート上で下地建材の端部を当接して一方向に配列し、複数の下地建材が繋ぎ合わされる。下地建材には、一方の長辺の側面にく字状の溝からなる雌形凹部が形成され、他方の長辺の側面には雌形凹部に対応して、山形に突出したく字状の雄形凸部が形成されている。下地板は、接着シートに下地建材の雌形凹部と雄形凸部とを組み合わせて貼り合わされることで、下地建材が厚み方向にずれることを防止しつつ、接着シートによって面方向のズレが防止されている。
【０００３】
以上のような下地建材の原材料に用いられる木材には、間伐材が用いられることがある。間伐材には、木が細い段階で伐採されるものや、ある程度生長して伐採された直径が約３０ｃｍ度の中目材がある。現在のところ、細い間伐材は、内装材等の土木資材に用いることができ、多用途であることから利用価値が高い。特許文献１に記載される下地板は、細い間伐材を用いており、各下地建材を接着シート上で連結し板状に形成される。一方、中目材は、利用されることが少ない。
【０００４】
【特許文献１】特開平６−８１４３７号公報
【発明の開示】
【発明が解決しようとする課題】
【０００５】
本発明は、間伐材を有効利用することができる新規な木製下地建材、この木製下地建材を用いた下地板及びこの下地板を用いた建築物の施工方法を提供することを目的とする。
【課題を解決するための手段】
【０００６】
上述した目的を達成する本発明に係る下地建材は、長尺の板体であり、表面に壁材を保持する凹条溝が一又は複数長手方向に形成されていると共に裏面が略平面で形成され、一方の長辺の側縁部に凹条溝と連続し、表面側に突出した係合突部が形成され、一方の長辺の側縁部と対向する他方の長辺の側縁部に、裏面側を開放した係合凹部が形成されている。このような木製下地建材は、例えば中目材を板状にした後にアンダーカットをするだけで製造することができ、加工が極めて容易である。
【０００７】
この木製下地建材を用いた本発明に係る木製下地板は、本発明に係る木製下地建材を複数有し、一の木製下地建材の係合凹部に他の木製下地建材の係合突部を係合させて、複数の木製下地建材を一方向に互いに隣接させて配列し、裏面側に接着シートが貼り合わされてなる。このような木製下地建材を用いた木製下地板は、係合凹部と係合突部とを係合させるだけで構成されるので、構成が簡単で組立が容易である。
【０００８】
また、以上のような木製下地建材を用いた建築物の施工方法は、上述の本発明を適用した木製下地建材を用いる。本発明に係る建築物の施工方法は、木製下地建材を、上記凹条溝が形成された表面を外側にして建築物の固定部材に固定し、上記壁材を保持する紐状の保持部材を表面に取り付け、上記建築物の固定部材に固定された木製下地板の表面に上記壁材を塗工する。このような木製下地建材を用いた建築物の施工方法は、係合突部と係合凹部を係合して木製下地板が形成されるため、建築物の施工工程を簡略化することができる。
【発明の効果】
【０００９】
本発明では、下地建材の一方の側縁部の表面に係合突部が形成され、他方の側縁部の裏面に係合凹部が形成されているため、一の下地建材の係合突部を他の下地建材の係合凹部に係合させることによって、複数の下地建材を一方向に容易に連結することができる。本発明では、壁材が塗工される表面に長手方向に沿って凹条溝が一又は複数形成されているため、凹条溝に壁材が入り込み、この凹条溝によって表面に壁材が保持されるようになり、塗工された壁材の落下が防止され、耐久性も向上し、補修工事等を少なくすることができる。この効果は、更に、下地建材の表面に取り付ける保持部材によっても高められる。
【発明を実施するための最良の形態】
【００１０】
以下、本発明の実施の形態について図面を参照して詳細に説明する。本発明を適用した下地板１は、図１に示すように、建築物の内外壁面等を構成する土壁２の下地に用いられる。この土壁２は、下地板１上に、壁土２ａにより荒壁塗をし、更に、この上に、壁土２ｂ，２ｃを積層して大直し、例えば３層で構成する。なお、下地板１には、土の他にモルタル等のクラウトを塗工するようにしてもよい。
【００１１】
下地板１は、例えば長尺で略矩形をなすように形成された板状の下地建材３を長辺を隣接させて一列に配列し、建築物の柱等の固定部材４に固定される。下地板１を固定部材４に固定する際は、固定部材４に対して下地建材３の長辺が略直交するように下地建材３が取り付けられる。
【００１２】
ここで、下地板１を構成する下地建材３について説明すると、この下地建材３は、間伐材を原材料として用い、例えば末口が直径約３０ｃｍ程度の中目材を用いて形成されるものである。下地建材３は、図２に示すように、長尺で略矩形であり、表面５に厚み方向（図２中、矢印Ｔ方向）にアンダーカットされ、長手方向（図２中、矢印Ｌ方向）に沿った凹条溝７が形成されている。下地建材３の表面５には、略直線状の凹条溝７が一又は複数設けられており、この表面５全体に１層目の壁土２ａが塗工される。一又は複数の凹条溝７は、下地板１の表面５に壁土２ａが塗工されたときに、壁土２ａを保持し、壁土２ａの落下を防止する。この凹条溝７は、壁土２ａが落下しない程度の深さ、大きさで形成され、形成される土壁２の厚さを考慮して形成する。
【００１３】
なお、凹条溝７は、開口側より底面側が幅広になるようにアンダーカットで形成し、壁土２ａの保持力を高める構成としても良い。また、凹状溝７は、長手方向に複数設けるようにしてもよい。
【００１４】
下地建材３の表面５側には、一方の長辺の側縁部に凹条溝７と連続して形成された係合突部８が形成されている。この係合突部８は、凹条溝７の溝底面７ａから略垂直に立ち上がるように形成された垂直面８ａと、この垂直面８ａと連続し、表面５と平行に形成された平坦面８ｂと、この平坦面８ｂと連続し、裏面６側の外側に突出するように傾斜した傾斜面８ｃとで構成されている。係合突部８は、後述する係合凹部９と係合する。垂直面８ａは、係合突部８が係合凹部９に係合した際に、係合された下地建材３と表面５が略面一となるように、下地建材３の厚みよりも低く形成され、係合凹部９の接する垂直面９ｂの高さと略同じ高さで形成されている。
【００１５】
下地建材３の裏面６は、固定部材４と接する面であるため、略平面状に形成されている。これにより、釘等で下地建材３を固定部材４に固定した際にがたつくことなく安定した姿勢で取り付けることができるようになっている。
【００１６】
下地建材３の裏面６には、係合突部８が形成されている長辺と対向する長辺の側縁部に裏面６側から厚み方向に窪むように凹条の溝からなる係合凹部９が形成されている。係合凹部９は、下地建材３の厚さ方向（図２中、矢印Ｔ方向）に深さを有し、長辺（図２中、矢印Ｌ方向）に沿って形成され、底面側より開口側の幅が大きくなるように形成されている。すなわち、係合凹部９は、底面９ａと、この底面９ａから略垂直に突出した垂直面９ｂと、この垂直面９ｂと反対側に傾斜した傾斜面９ｃとで構成されている。垂直面９ｂは、係合突部８の垂直面８ａの高さと同じ高さで形成されており、係合凹部９に係合突部８が係合した際に係合凹部９に係合突部８が完全に係合されるようになる。傾斜面９ｃは、係合突部８の傾斜面８ｃと同じ傾きを有しており、係合突部８を係合凹部９に挿入しやすくする挿入ガイド面となっている。また、係合凹部９の端面９ｄは、表面５側のコーナが外側に突出するように傾斜して形成されている。端面９ｄは、係合凹部９に係合突部８が係合された際に、凹条溝７の側壁７ｂと壁土２ａを保持するためのアンダーカット部を形成する。
【００１７】
上述した構成からなる下地建材３を複数用いて、次のようにして、図１に示すような下地板１を形成する。先ず、図３に示すように、下地建材３の係合突部８を他の下地建材３の係合凹部９に係合させる。この際に、下地建材３の係合突部８には、端部に傾斜した傾斜面８ｃが形成されており、他の下地建材３の係合凹部９には、この傾斜面８ｃの略同じ傾きの傾斜面９ｃが形成されているため、係合突部８の傾斜面８ｃを他の下地建材３の係合凹部９の傾斜面９ｃに滑らして挿入することができる。また、係合凹部９に係合突部８を係合することによって、係合突部８の垂直面８ａが溝底面７ａから略垂直に突出して形成され、係合凹部９の垂直面９ｂも底面９ａから略垂直に突出して形成されているため、係合突部８の垂直面８ａと係合凹部９の垂直面９ｂとが互いに突き当てられることによって、係合凹部９から係合突部８が外れにくくなる。また、係合突部８の垂直面８ａの高さと係合凹部９の垂直面９ｂの高さを同じであり、それぞれ下地建材３の厚みよりも低く形成されているため、係合部分の厚みが下地建材３の厚みと同じになり、連結された下地建材３の高さは同一となる。また、各下地建材３の裏面６も略平面で形成されているため、連結された下地建材３の裏面も略面一となる。
【００１８】
また、係合突部８を係合凹部９に係合した際に、係合凹部９の傾斜面９ｃと係合突部８の傾斜面８ｃとの間には、木材が膨張した際に、緩衝空間となる隙間１０が設けられる。この隙間１０は、例えば約２mmである。この隙間１０が、連結された下地建材３の間に設けられることによって、下地板１を係合部分で多少曲げることができるようになり、下地板１を固定部材４に取り付ける際の取り扱いを良くすることができる。
【００１９】
なお、係合突部８の平坦面８ｂと係合凹部９の垂直面９ａは、何れか一方と膨出させ他方をこれに対応して窪み形成し、更に面方向の位置決めを容易に行うことができるようにしても良い。
【００２０】
かくして、長辺をつき合わせるようにして一方向に配列された複数の下地建材３は、配列された下地建材３を１枚の板体として取り扱うことができるようにするため、裏面６に接着シート１１を貼り合わせる。この接着シート１１は、充分な強度をもって下地建材３を連結することができ、可撓性を有するシート上に熱溶着が可能な熱溶着シートが形成されて構成からなる。可撓性を有するシートとしては、例えば織布、不織布、紙、フィルム又はそれらの積層シート等である。熱溶着シートとしては、加圧、加熱手段によって、シートと下地建材３とを加熱溶着することができるものであればよく、例えばホルマリンを含む接着剤を使用していない共重合ナイロンフィルム等である。配列された下地建材３に熱溶着シートを介して、熱圧着することによって、接着シート１１を裏面６に貼り合わせる。
【００２１】
次に、下地建材３が連結され１枚の板体のように取り扱うことができるようになった下地板１は、柱等の固定部材４に釘打ちやボルト締め等の周知の固定手段１２で固定される。このとき、凹条溝７側が形成されている表面５を外側にして固定部材４に取り付けられる。下地板１は、下地建材３の間に隙間１０が設けられていることで多少曲げることができるため、下地板１を固定部材４に取り付ける作業を容易にすることができる。  
【００２２】
次に、下地板１の表面５に、図４に示すように、可撓性を有し、塗工される壁土２ａを保持する保持部材１３を取り付ける。保持部材１３は、樹脂や麻等の紐状の部材であり、ひげこのようなものである。具体的に、保持部材１３は、隣接する２つの下地建材３の表面４の凹条溝７間に、略千鳥状に配して、頂点となる位置の保持部材１３が股釘１４によって下地建材３に固定される。そして、保持部材１３が取り付けられた一の下地建材３と隣接する他の下地建材３との間で、同様に保持部材１３を取り付け、股釘１４で固定した箇所を他の保持部材１３の股釘１４で固定した箇所と同じにすることで、全体が網目状となるようにする。保持部材１３を下地建材３の表面５に取り付ける際は、股釘１４で止めた間の長さを長くし、ある程度弛みをもたせて取り付ける。このように、保持部材１３に弛みを持たせて取り付けることで、後に下地建材３の表面５に塗工される壁土２ａを下地建材３と保持部材１３との間で保持することができる。
【００２３】
次いで、下地板１の表面５には、１層目の壁土２ａが塗工され、壁土２ａが乾燥した後、続いて２層目の壁土２ｂ及び３層目の壁土２ｃが塗工される。１層目の壁材２を塗工する際は、表面５に取り付けた保持部材１３を表面５から離し、図５に示すように、表面５に壁土２ａを塗工する。壁土２ａは、凹条溝７により、確実に保持され、更に保持部材１３が網目状に取り付けられているため、保持部材１３により壁土２ａの全体が下地板１の表面５で維持されるようになる。特に、係合突部８と連続した凹条溝７では、係合凹部９側の端面９ｄ側が傾斜して形成されていることから、溝底面７ａ側が開口側より幅広の凹条溝７が構成されることになり、より壁土２ａを確実に保持することができ、下地建材３が湿度や温度変化によって伸縮した際にも壁土２ａが崩れ落ちることを防止することができる。また、下地建材３の間には、隙間１０が設けられていることで、木材が膨張したときにも、下地建材３に負荷が加わり、ひび割れ等が発生することも防止することができる。また、この下地板１では、ある程度の太さを有する中目材を用いて形成することによって、厚さを厚く形成することができ、且つ凹条溝７を深く形成することができるため、十分な量の壁土２ａを保持することができるようになり、防音機能の優れたものとすることができる。
【００２４】
以上のように構成された下地板１によれば、中目材を用いて形成した複数の下地建材３を容易に且つ確実に連結して形成される。そして、下地建材３を用いることで、中目材の有効利用を図ることができる。この下地板１を構成する下地建材３は、係合突部８を隣接する下地建材３の係合凹部９に係合することによって、簡単に連結して配列することができる。そして、略平坦な裏面６には、接着シート１１が貼り合わされることで、下地板１を１枚の板体のごとく取り扱うことができ、固定部材４への取り付け作業が容易なものとなる。
【００２５】
また、上述した下地板１では、中目材等の木材を用い、壁土２ａ、２ｂ、２ｃを用いた土壁２が形成されることによって、木材による調湿作用や断熱効果が大きく、土壁２による防火性や調湿作用等を有している。また、下地板１は、木材からなり、表面５に土壁２を形成することよって、解体した際にはすべて自然に返すことができるため、環境に大変やさしい材料である。
【００２６】
なお、以上の下地板１では、中目材を用いた下地建材３を用いて説明したが、本発明はこれに限定されるものではなく、細い間伐材を用いて下地建材３を形成しても良く、また、原材料は木材であれば特に間伐材に限定されるものでもない。
【図面の簡単な説明】
【００２７】
【図１】本発明を適用した下地板の表面に土壁を形成した状態を示す斜視図である。
【図２】本発明を適用した下地建材の斜視図である。
【図３】複数の下地建材を連結し、保持部材を取り付けた状態を示す断面図である。
【図４】複数の下地建材を連結し、保持部材を取り付けた状態を示す斜視図である。
【図５】下地板の表面に壁材を形成した状態を示す斜視図である。
【符号の説明】
【００２８】
１  下地板、２  土壁、２ａ、２ｂ、２ｃ  壁土、３  下地建材、４  固定部材、５  表面、６  裏面、７  凹条溝、８  係合突部、９  係合凹部、１０  保持部材、１２  接着シート、１３  固定手段  股釘
【図１】
2005061101.tif 000003
【図２】
2005061101.tif 000004
【図３】
2005061101.tif 000005
【図４】
2005061101.tif 000006
【図５】
2005061101.tif 000007